(57)【要約】【課題】  固定の場所に拘束されず，あらゆる場所において，簡単なハンドアクションによる情報の取得，送出を，狭い空間内で確実かつ安全に行うことが可能な無線情報通信システムを提供する。【解決手段】  無線電波によって非接触式にデータ通信を行う無線情報通信システムであって，ユーザが利用するユーザ端末１１２と有体物１１４に設けられた通信目的装置１１６とから構成され，１０ｃｍ以内の所定範囲でのみ近距離無線規格（ＮＦＣ：Ｎｅａｒ  Ｆｉｅｌｄ  Ｃｏｍｍｕｎｉｃａｔｉｏｎ）によるデータ通信を行う無線情報通信システムが提供される。かかる構成により，容易性，確実性，安全性に優れた非接触式通信が可能となる。【選択図】    図１
2005159958.tif 000002
【特許請求の範囲】
【請求項１】
無線電波によって非接触式にデータ通信を行う無線情報通信システムであって：
無線電波信号と電気信号との変換を行うユーザアンテナ部と，近距離無線規格によるデータ通信を行うユーザＮＦＣ機能部と，データを記憶するユーザデータ記憶部と，少なくとも１つのスイッチで構成される入力部と，前記入力部の操作に応じて，通信目的である通信目的装置から目的とするデータを読み取り，前記ユーザデータ記憶部に記憶させるデータ読み取り部と，前記入力部の操作に応じて，前記ユーザデータ記憶部に記憶されたデータを，前記通信目的装置に書き込むデータ書き込み部とを備え，ユーザにより移動自在なユーザ端末と；
無線電波信号と電気信号との変換を行う目的アンテナ部と，近距離無線規格によるデータ通信を行う目的ＮＦＣ機能部と，データを記憶する目的データ記憶部と，前記ユーザ端末の要求に応じて，前記目的データ記憶部に記憶された目的とするデータを前記ユーザ端末に出力するデータ出力部と，前記ユーザ端末の要求に応じて，前記ユーザ端末から入力されたデータを前記目的データ記憶部に記憶させるデータ入力部とを備える通信目的装置と；
から構成され，
前記ユーザ端末を，前記通信目的装置からの所定範囲内において，前記通信目的装置に翳したとき；
前記ユーザ端末は，前記通信目的装置に無線信号によるデータを送信し，前記通信目的装置は，前記ユーザ端末に，前記目的データ記憶部のデータに応じて振幅の異なる反射波を返信することを特徴とする，無線情報通信システム。
【請求項２】
前記所定の距離は，１０ｃｍ以内であることを特徴とする，請求項１に記載の無線情報通信システム。
【請求項３】
データ通信を行う通信目的装置と別体に構成され，前記通信目的装置からの所定範囲内において，前記通信目的装置に翳したとき，前記通信目的装置と無線電波によって非接触式にデータ通信を行うユーザ端末であって：
無線電波信号と電気信号との変換を行うユーザアンテナ部と；
近距離無線規格によるデータ通信を行うユーザＮＦＣ機能部と；
データを記憶するユーザデータ記憶部と；
少なくとも１つのスイッチで構成される入力部と；
前記入力部の操作に応じて，前記通信目的装置から目的とするデータを読み取り，前記ユーザデータ記憶部に記憶させるデータ読み取り部と；
前記入力部の操作に応じて，前記ユーザデータ記憶部に記憶されたデータを，前記通信目的装置に書き込むデータ書き込み部と；
を備え，
ユーザにより移動自在であることを特徴とする，ユーザ端末。
【請求項４】
前記入力部の操作は，目的とするデータを読み取るときに，前記スイッチをクリックし，
記憶されたデータを書き込むときに，ダブルクリックすることを特徴とする，請求項３に記載のユーザ端末。
【請求項５】
前記入力部の操作は，目的とするデータを読み取るときに，通信目的装置上の目的とするデータが選択された状態で，前記スイッチをクリックし，
記憶されたデータを書き込むときに，通信目的装置上では何も選択されていない状態で，前記スイッチをクリックすることを特徴とする，請求項３に記載のユーザ端末。
【請求項６】
通信目的装置から目的とするデータを読み取り，前記読み取ったデータを通信目的装置に書き込む場合，
前記入力部の操作は，データを読み取る通信目的装置上の目的とするデータが選択された状態で，前記スイッチをドラッグし，データを書き込む通信目的装置上でドロップすることを特徴とする，請求項３に記載のユーザ端末。
【請求項７】
前記目的とするデータの読み取り動作中と，前記記憶されたデータの書き込み動作中とが，ユーザの視覚および／または聴覚により確認可能な状態表示部をさらに含むことを特徴とする，請求項３に記載のユーザ端末。
【請求項８】
前記目的とするデータの読み取り，または，前記記憶されたデータの書き込みにかかる時間を計時し，所定の時間内に遂行されなかったときは，前記状態表示部を用いてエラーを表示するエラー表示部をさらに含むことを特徴とする，請求項７に記載のユーザ端末。
【請求項９】
データ形式を変換することができるユーザ形式変換部をさらに含むことを特徴とする，請求項３に記載のユーザ端末。
【請求項１０】
通信目的装置からの所定範囲内において，前記通信目的装置に翳したとき，前記通信目的装置と無線電波によって非接触式にデータ通信を行うプログラムであって：
コンピュータを，
無線電波信号と電気信号との変換を行うユーザアンテナ部と；
近距離無線規格によるデータ通信を行うユーザＮＦＣ機能部と；
データを記憶するユーザデータ記憶部と；
少なくとも１つのスイッチで構成される入力部と；
前記入力部の操作に応じて，前記通信目的装置から目的とするデータを読み取り，前記ユーザデータ記憶部に記憶させるデータ読み取り部と；
前記入力部の操作に応じて，前記ユーザデータ記憶部に記憶されたデータを，前記通信目的装置に書き込むデータ書き込み部と；
して機能させるための，プログラム。
【請求項１１】
データ通信を行うユーザ端末と別体に構成され，前記ユーザ端末からの所定範囲内において，前記ユーザ端末を翳したとき，前記ユーザ端末と無線電波によって非接触式にデータ通信を行う通信目的装置であって：
無線電波信号と電気信号との変換を行う目的アンテナ部と；
近距離無線規格によるデータ通信を行う目的ＮＦＣ機能部と；
データを記憶する目的データ記憶部と；
前記ユーザ端末の要求に応じて，前記目的データ記憶部に記憶された目的とするデータを前記ユーザ端末に出力するデータ出力部と；
前記ユーザ端末の要求に応じて，前記ユーザ端末から入力されたデータを前記目的データ記憶部に記憶させるデータ入力部と；
を備えることを特徴とする，通信目的装置。
【請求項１２】
前記目的とするデータが通信目的装置上に表示されたデータの一部の場合，前記目的とするデータは，前記一部を反転表示させて指定することを特徴とする，請求項１１に記載の通信目的装置。
【請求項１３】
前記ユーザ端末からの電波によるエネルギーを受信し，前記エネルギーによって動作することを特徴とする，請求項１１に記載の通信目的装置。
【請求項１４】
ユーザの設定に応じて，前記ユーザ端末とのデータの出力および／または入力を受け付けないロック機能部をさらに含むことを特徴とする，請求項１１に記載の通信目的装置。
【請求項１５】
データ形式を変換することができる目的形式変換部をさらに含むことを特徴とする，請求項１１に記載の通信目的装置。
【請求項１６】
ユーザ端末からの所定範囲内において，前記ユーザ端末を翳したとき，前記ユーザ端末と無線電波によって非接触式にデータ通信を行うプログラムであって：
コンピュータを，
無線電波信号と電気信号との変換を行う目的アンテナ部と；
近距離無線規格によるデータ通信を行う目的ＮＦＣ機能部と；
データを記憶する目的データ記憶部と；
前記ユーザ端末の要求に応じて，前記目的データ記憶部に記憶された目的とするデータを前記ユーザ端末に出力するデータ出力部と；
前記ユーザ端末の要求に応じて，前記ユーザ端末から入力されたデータを前記目的データ記憶部に記憶させるデータ入力部と；
して機能させるための，プログラム。
【請求項１７】
ユーザにより移動自在なユーザ端末と；前記ユーザ端末の通信目的である通信目的装置とを利用して無線電波により非接触式にデータ通信を行う無線情報通信方法であって：
前記ユーザ端末において，前記通信目的装置に書き込むデータを選択する書き込みデータ選択工程と；
前記通信目的装置からの所定範囲内において，前記ユーザ端末を前記通信目的装置に翳すユーザ端末配置工程と；
前記ユーザ端末の入力部の操作に応じて，前記書き込みデータ選択工程によって選択されたデータを，前記通信目的装置に書き込むデータ書き込み工程と；
を含むことを特徴とする，無線情報通信方法。
【請求項１８】
前記データ書き込み工程は，
前記ユーザ端末が，前記通信目的装置に書き込むことができるデータ形式リストの送信要求を前記通信目的装置に送信する工程と；
前記通信目的装置が，前記ユーザ端末にデータ形式リストを送信する工程と；
前記ユーザ端末が，ユーザに前記データ形式リストからデータ形式を選択させる工程と；
前記ユーザ端末が，前記通信目的装置に，前記選択されたデータ形式で前記選択されたデータを送信する工程と；
を含むことを特徴とする，請求項１７に記載の無線情報通信方法。
【請求項１９】
前記データ形式は，ＴＥＸＴ，ＲＩＣＨ＿ＴＥＸＴ，ＡＳＣＩＩ，ＥＵＣ，ＪＩＳ，ＢＭＰ，ＪＰＥＧ，ＭＰＥＧ，ＧＩＦ，ＴＩＦＦからなる群より選択された１または２以上のフォーマットであることを特徴とする，請求項１８に記載の無線情報通信方法。
【請求項２０】
前記データ形式は，予め選択する優先順位が設定され，
前記ユーザ端末が，ユーザに前記データ形式リストからデータ形式を選択させる工程の代わりに，
前記ユーザ端末が，前記優先順位に従って前記データ形式リストから自動的にデータ形式を選択する工程を含むことを特徴とする，請求項１８に記載の無線情報通信方法。
【請求項２１】
前記選択したデータのデータ形式が，前記データ形式リストの中にない場合，
前記ユーザ端末が，ユーザに前記データ形式リストからデータ形式を選択させる工程と，前記ユーザ端末が，前記通信目的装置に，前記選択されたデータ形式で前記選択されたデータを送信する工程との間に，
前記データ形式リスト中のデータ形式に変換する工程をさらに含むことを特徴とする，請求項１８に記載の無線情報通信方法。
【請求項２２】
前記選択されたデータ形式が前記通信目的装置に書き込むことができないデータ形式である場合，
前記ユーザ端末が，前記通信目的装置に，前記選択されたデータ形式で前記選択されたデータを送信する工程の後に，
前記通信目的装置が，書き込むことができるデータ形式に変換する工程をさらに含むことを特徴とする，請求項１８に記載の無線情報通信方法。
【請求項２３】
ユーザにより移動自在なユーザ端末と；前記ユーザ端末の通信目的である通信目的装置とを利用して無線電波により非接触式にデータ通信を行う無線情報通信方法であって：
前記通信目的装置からの所定範囲内において，前記ユーザ端末を前記通信目的装置に翳すユーザ端末配置工程と；
前記ユーザ端末の入力部の操作に応じて，前記通信目的装置に記憶されているデータを読み取るデータ読み取り工程と；
を含むことを特徴とする，無線情報通信方法。
【請求項２４】
前記データ読み取り工程は，
前記ユーザ端末が，前記通信目的装置から読み取ることができるデータのデータ形式リストの送信要求を前記通信目的装置に送信する工程と；
前記通信目的装置が，前記ユーザ端末にデータ形式リストを送信する工程と；
前記ユーザ端末が，ユーザに前記データ形式リストからデータ形式を選択させる工程と；
前記ユーザ端末が，前記通信目的装置に，前記選択されたデータ形式を送信する工程と；
前記通信目的装置が，前記ユーザ端末に前記送信されたデータ形式で記憶されているデータを送信する工程と；
を含むことを特徴とする，請求項２３に記載の無線情報通信方法。
【請求項２５】
前記データ形式は，ＴＥＸＴ，ＲＩＣＨ＿ＴＥＸＴ，ＡＳＣＩＩ，ＥＵＣ，ＪＩＳ，ＢＭＰ，ＪＰＥＧ，ＭＰＥＧ，ＧＩＦ，ＴＩＦＦからなる群より選択された１または２以上のフォーマットであることを特徴とする，請求項２４に記載の無線情報通信方法。
【請求項２６】
前記データ形式は，予め選択する優先順位が設定され，
前記ユーザ端末が，ユーザに前記データ形式リストからデータ形式を選択させる工程の代わりに，
前記ユーザ端末が，前記優先順位に従って前記データ形式リストから自動的にデータ形式を選択する工程を含むことを特徴とする，請求項２４に記載の無線情報通信方法。
【請求項２７】
前記選択されたデータ形式が前記通信目的装置に記憶されていないデータ形式である場合，
前記通信目的装置が，前記ユーザ端末に前記送信されたデータ形式で記憶されているデータを送信する工程の代わりに，
前記通信目的装置が，前記ユーザ端末に前記送信されたデータ形式で記憶されているデータを前記選択されたデータ形式に変換して送信する工程を含むことを特徴とする，請求項２４に記載の無線情報通信方法。
【請求項２８】
前記データ形式リストの中に前記ユーザ端末が読み取ることのできるデータ形式がない場合，
前記通信目的装置が，前記ユーザ端末に前記送信されたデータ形式で記憶されているデータを送信する工程の後に，
前記ユーザ端末が，受信したデータのデータ形式を前記ユーザ端末が読み取ることの出来るデータ形式に変換する工程をさらに含むことを特徴とする，請求項２４に記載の無線情報通信方法。
【発明の詳細な説明】
【技術分野】
【０００１】
本発明は，非接触式にデータ通信を行う無線情報通信にかかり，特に，無線情報通信システム，ユーザ端末，通信目的装置，無線情報通信方法，およびプログラムに関する。
【背景技術】
【０００２】
近日，インターネット等の公衆通信網を介して，世界中のあらゆる情報をパーソナルコンピュータ等の端末から入手できるようになった。このような情報の通信方法を利用して，例えば，今から行こうと考えている店舗が有するホームページから地図をダウンロードし，印刷して持ち歩いたり，また，ユーザの情報をホームページを介して登録したりしていた。
【０００３】
また，これから利用する店舗の情報が欲しいと考えたとき，上記のような固定された端末に制限されず，無線通信によって店舗側から情報を入手し，さらに無線通信によって店舗側に個人情報を送信する技術も知られている（例えば，特許文献１）。
【０００４】
このような無線による情報交換を行うことができる装置の典型例としては，ＩＣタグやＩＣカードが挙げられる。かかるＩＣタグやＩＣカードは非接触式にデータ通信を行うことが可能で，例えば，値札のＩＣタグから電子的に値段を読み取ったり，また，ＩＣカードによって認証に必要な固定情報を定型の方法で読み取ったりしていた。
【０００５】
上記のようなＩＣタグやＩＣカードとの情報交換には，当初，情報選択の余地がなかった。しかし，情報送信機器が複数の情報を有す場合，このようなＩＣカードやＩＣタグに書き込むときにその複数の情報から書き込むべき情報を選択して書き込み，または，読み込んだ複数の情報を一旦表示手段に表示し，選択された情報のみを記憶する技術も知られるようになった（例えば，特許文献２）。
【０００６】
【特許文献１】特開２００２−３５３８７４号公報
【特許文献２】特開２００２−２６９５０８号公報
【発明の開示】
【発明が解決しようとする課題】
【０００７】
しかしながら，上記の無線情報通信システムは，情報の取得や送出における容易性に欠け，無線による通信から与えられるセキュリティ面の不安も少なくはなかった。
【０００８】
本発明は，従来の無線情報通信システムが有する上記問題点に鑑みてなされたものであり，本発明の目的は，固定の場所に拘束されず，あらゆる場所において，簡単なハンドアクションによる情報の取得，送出を，狭い空間内で確実かつ安全に行うことが可能な，新規かつ改良された無線情報通信システム，ユーザ端末，通信目的装置，無線情報通信方法およびプログラムを提供することである。
【課題を解決するための手段】
【０００９】
上記課題を解決するために，本発明のある観点によれば，無線電波によって非接触式にデータ通信を行う無線情報通信システムであって：無線電波信号と電気信号との変換を行うユーザアンテナ部と，近距離無線規格によるデータ通信を行うユーザＮＦＣ機能部と，データを記憶するユーザデータ記憶部と，少なくとも１つのスイッチで構成される入力部と，上記入力部の操作に応じて，通信目的である通信目的装置から目的とするデータを読み取り，上記ユーザデータ記憶部に記憶させるデータ読み取り部と，上記入力部の操作に応じて，上記ユーザデータ記憶部に記憶されたデータを，上記通信目的装置に書き込むデータ書き込み部とを備え，ユーザにより移動自在なユーザ端末と；無線電波信号と電気信号との変換を行う目的アンテナ部と，近距離無線規格によるデータ通信を行う目的ＮＦＣ機能部と，データを記憶する目的データ記憶部と，上記ユーザ端末の要求に応じて，上記目的データ記憶部に記憶された目的とするデータを上記ユーザ端末に出力するデータ出力部と，上記ユーザ端末の要求に応じて，上記ユーザ端末から入力されたデータを上記目的データ記憶部に記憶させるデータ入力部とを備える通信目的装置と；から構成され，上記ユーザ端末を，上記通信目的装置からの所定範囲内において，上記通信目的装置に翳したとき；上記ユーザ端末は，上記通信目的装置に無線信号によるデータを送信し，上記通信目的装置は，上記ユーザ端末に，上記目的データ記憶部のデータに応じて振幅の異なる反射波を返信することを特徴とする，無線情報通信システムが提供される。
【００１０】
ここで，近距離無線規格（ＮＦＣ：Ｎｅａｒ  Ｆｉｅｌｄ  Ｃｏｍｍｕｎｉｃａｔｉｏｎ）とは，１０ｃｍ程度の狭い範囲内のみにおいて非接触式に通信を行うことができる，１３．５６ＭＨｚのＲＦ搬送波周波数と最大２１２Ｋｂｐｓの通信速度を有する通信方式をいう。また，上記ユーザ端末は，ユーザによって移動自在な携帯電話，ＰＤＡ（Ｐｅｒｓｏｎａｌ  Ｄｉｇｉｔａｌ  Ａｓｓｉｓｔａｎｔ），モバイルパーソナルコンピュータ，時計，電卓，マウスを含み，上記通信目的装置は，広告，ポスター，掲示板，看板等の公共物を含んでいる。
【００１１】
上記課題を解決するために，本発明の第２の観点によれば，データ通信を行う通信目的装置と別体に構成され，上記通信目的装置からの所定範囲内において，上記通信目的装置に翳したとき，上記通信目的装置と無線電波によって非接触式にデータ通信を行うユーザ端末であって：無線電波信号と電気信号との変換を行うユーザアンテナ部と；近距離無線規格によるデータ通信を行うユーザＮＦＣ機能部と；データを記憶するユーザデータ記憶部と；少なくとも１つのスイッチで構成される入力部と；上記入力部の操作に応じて，上記通信目的装置から目的とするデータを読み取り，上記ユーザデータ記憶部に記憶させるデータ読み取り部と；上記入力部の操作に応じて，上記ユーザデータ記憶部に記憶されたデータを，上記通信目的装置に書き込むデータ書き込み部とを備え，ユーザにより移動自在であることを特徴とする，ユーザ端末が提供される。
【００１２】
かかる近距離無線規格もしくは近距離無線規格による通信（以下，ＮＦＣという。）では，１０ｃｍ程度の狭い範囲内のみにおいて非接触式に通信が行われるので，ユーザの視覚により通信目的とする通信目的装置を容易に把握，認識でき，ハンドアクションによる分かり易い通信処理を行うことができる。ここで，通信目的装置から読み取られるデータは，予め通信目的装置に用意されており，ユーザは，このような通信目的装置が設けられた部分にユーザ端末を翳す，または，添えることによって，かかるデータを入手できる。
【００１３】
また，このような容易なハンドアクションとしてユーザ端末に設けられたボタン，タッチパネルを含むスイッチを使った様々な形態が考えられる。例えば，上記入力部の操作は，目的とするデータを読み取るときに，上記スイッチをクリックし，記憶されたデータを書き込むときに，ダブルクリックすることが考えられる。
【００１４】
かかる構成により，ユーザ端末に備えるべきスイッチは少なくとも１つあれば足り，多くのスイッチを必要としない。このように少ないスイッチの構成により，上記ユーザ端末としての機器，例えば携帯電話をユーザの手で支持した状態において，親指や人差し指で押しやすい位置にスイッチを配置できる。このような配置により，通信処理のさらなる容易性を得ることができる。
【００１５】
また，スイッチを使った他の形態として，上記入力部の操作は，目的とするデータを読み取るときに，通信目的装置上の目的とするデータが選択された状態で，上記スイッチをクリックし，記憶されたデータを書き込むときに，通信目的装置上では何も選択されていない状態で，上記スイッチをクリックすることが考えられる。
【００１６】
かかる構成は，例えば，通信目的装置としてのパーソナルコンピュータから，ＰＤＡ等にデータを移動する場合に有効である。即ち，上記パーソナルコンピュータで所定のファイルを開き，マウスを介してコピー対象部分を反転表示し，その通信目的装置にユーザ端末を近づけてスイッチをクリックするだけで，かかる部分データをコピーでき，さらに同じ動作で目的とするＰＤＡに上記部分データをペースト可能である。かかる通信処理では，ユーザが，視覚でデータを確認できる。
【００１７】
また，スイッチを使った他の形態として，通信目的装置から目的とするデータを読み取り，上記読み取ったデータを通信目的装置に書き込む場合，上記入力部の操作は，データを読み取る通信目的装置上の目的とするデータが選択された状態で，上記スイッチをドラッグし，データを書き込む通信目的装置上でドロップすることが考えられる。
【００１８】
かかる構成は，上述の通信目的装置上の目的とするデータが選択された状態で，上記スイッチをクリックしてコピー＆ペーストする処理を，ドラッグ＆ドロップに置き換えたもので，ユーザの好みに応じて好みの形態を選択することも可能である。
【００１９】
また，上記目的とするデータの読み取り動作中と，上記記憶されたデータの書き込み動作中とが，ユーザの視覚および／または聴覚により確認可能な状態表示部をさらに含むとしても良い。さらに，上記目的とするデータの読み取り，または，上記記憶されたデータの書き込みにかかる時間を計時し，所定の時間内に遂行されなかったときは，上記状態表示部を用いてエラーを表示するエラー表示部をさらに含むとしても良い。
【００２０】
上記状態表示部は，ＬＥＤ，ＬＣＤ等の視覚により確認される装置を含み，この状態表示部の構成により，ユーザは，データの読み取りや書き込みの動作を確認できる。例えば，データの読み取りを希望し，通信目的装置にユーザ端末を翳して通信処理を開始した場合，ＬＥＤが消灯状態から点灯状態に変わり，ユーザ端末のデータ読み取りが完了すると消灯状態に戻る。また，上記エラー表示部の構成により，ユーザ端末のデータの読み取りが何らかの原因により失敗に終わった場合は，ＬＥＤが点滅に変わり，ユーザは，読み取りをあきらめるか，再度読み取りを行うかを選択することができる。
【００２１】
また，データ形式を変換することができるユーザ形式変換部をさらに含むとしても良い。かかる構成により，通信目的装置から読み取るデータのデータ形式がユーザ端末において処理できない場合や通信目的装置に書き込むデータのデータ形式が通信目的装置で処理出来ない場合も対応することが可能になる。
【００２２】
また，コンピュータをして，上記のユーザ端末として機能せしめることを特徴とする，コンピュータプログラムも提供される。
【００２３】
上記課題を解決するために，本発明の第３の観点によれば，データ通信を行うユーザ端末と別体に構成され，上記ユーザ端末からの所定範囲内において，上記ユーザ端末を翳したとき，上記ユーザ端末と無線電波によって非接触式にデータ通信を行う通信目的装置であって：無線電波信号と電気信号との変換を行う目的アンテナ部と；近距離無線規格によるデータ通信を行う目的ＮＦＣ機能部と；データを記憶する目的データ記憶部と；上記ユーザ端末の要求に応じて，上記目的データ記憶部に記憶された目的とするデータを上記ユーザ端末に出力するデータ出力部と；上記ユーザ端末の要求に応じて，上記ユーザ端末から入力されたデータを上記目的データ記憶部に記憶させるデータ入力部とを備えることを特徴とする，通信目的装置が提供される。
【００２４】
かかるＮＦＣでは，通信目的装置から１０ｃｍ程度の狭い範囲内のみにおいて，ユーザ端末と非接触式に通信を行うので，ユーザの視覚により通信目的とする通信目的装置を容易に把握，認識でき，ハンドアクションによる分かり易い通信処理を行うことができる。
【００２５】
また，上記目的とするデータが通信目的装置上に表示されたデータの一部の場合，上記目的とするデータは，上記一部を反転表示させて指定するとしても良い。かかる構成により，通信目的装置により予め用意されているデータだけでなく，指定したデータも取得することが可能となる。即ち，ある情報をコピーしたいと考えたとき，その情報に関するデータを，マウス等の指定手段を利用して詳細に指定（変転表示）することによって目的を達し得る。
【００２６】
このような通信目的装置が，例えば，広告の裏側に貼り付けられる等，通信目的装置以外の有体物に覆われ，ユーザの視覚で確認し難い場合，特定のマークによって上記通信目的装置の位置が分かるようにしても良い。ＮＦＣによる通信は，ユーザ端末と通信目的装置とが１０ｃｍ以内の距離で行われるため，通信目的装置の位置をある程度特定する必要がある。かかるマークにより，通信目的装置を視覚的に捉えることができ，確実な通信を行うことができる。
【００２７】
また，通信目的装置は，上記ユーザ端末からの電波によるエネルギーを受信し，上記エネルギーによって動作されても良い。かかる構成により，通信目的装置は，有限な電源を必要とせず，従来，電源を接続することが位置的，コスト的に困難であった場所，例えば街頭ポスター等にも設置可能となる。この場合，通信目的装置は，通常，省電力待機（スリープ）状態になっており，ユーザ端末のアクセスにより電力を蓄積して動作を開始する。
【００２８】
また，通信目的装置は，ユーザの設定に応じて，上記ユーザ端末とのデータの出力および／または入力を受け付けないロック機能部をさらに含むことができる。かかる構成により，電車内等の混雑した場所で，ユーザの意志に反してデータが読み取られる問題を解決することができる。この場合，ユーザはかかるロック機能部を有効にすれば良いだけである。
【００２９】
また，データ形式を変換することができる目的形式変換部をさらに含むとしても良い。かかる構成により，ユーザ端末と通信するデータが，通信目的装置において処理できないデータ形式であっても対応することが可能となる。
【００３０】
また，コンピュータをして，上記の通信目的装置として機能せしめることを特徴とする，コンピュータプログラムも提供される。
【００３１】
上記課題を解決するために，本発明の第４の観点によれば，ユーザにより移動自在なユーザ端末と；上記ユーザ端末の通信目的である通信目的装置とを利用して無線電波により非接触式にデータ通信を行う無線情報通信方法であって：上記ユーザ端末において，上記通信目的装置に書き込むデータを選択する書き込みデータ選択工程と；上記通信目的装置からの所定範囲内において，上記ユーザ端末を上記通信目的装置に翳すユーザ端末配置工程と；上記ユーザ端末の入力部の操作に応じて，上記書き込みデータ選択工程によって選択されたデータを，上記通信目的装置に書き込むデータ書き込み工程とを含むことを特徴とする，無線情報通信方法が提供される。
【００３２】
かかる無線情報通信方法は，ＮＦＣを利用してユーザ端末のデータを通信目的装置に書き込んでいる。上記ＮＦＣは，非常に狭い範囲においてのみ通信可能であるから，隣り合わせに複数の通信目的装置が配置されていたとしても，ユーザ自身が目的とする通信目的装置をハンドアクションにより特定でき，間違って他の通信目的装置にデータが送信されることもない。
【００３３】
上記データ書き込み工程は，上記ユーザ端末が，上記通信目的装置に書き込むことができるデータ形式リストの送信要求を上記通信目的装置に送信する工程と；上記通信目的装置が，上記ユーザ端末にデータ形式リストを送信する工程と；上記ユーザ端末が，ユーザに上記データ形式リストからデータ形式を選択させる工程と；上記ユーザ端末が，上記通信目的装置に，上記選択されたデータ形式で上記選択されたデータを送信する工程とを含むとしても良い。また，上記データ形式は，ＴＥＸＴ，ＲＩＣＨ＿ＴＥＸＴ，ＡＳＣＩＩ，ＥＵＣ，ＪＩＳ，ＢＭＰ，ＪＰＥＧ，ＭＰＥＧ，ＧＩＦ，ＴＩＦＦからなる群より選択された１または２以上のフォーマットである。
【００３４】
かかる構成により，ユーザ端末と通信目的装置との間で送受信されるデータのデータ形式を互いに確認することができる。ユーザ端末や通信目的装置は，各々処理できるデータ形式を複数有し，その種類が多いほど，汎用性が高くなる。このようなデータ形式の選択を導入することで，データ形式を規格化または統一化する必要もなくなり，本通信方法を多くのユーザが利用することが可能となる。
【００３５】
上記データ形式は，予め選択する優先順位が設定され，上記ユーザ端末が，ユーザに上記データ形式リストからデータ形式を選択させる工程の代わりに，上記ユーザ端末が，上記優先順位に従って上記データ形式リストから自動的にデータ形式を選択する工程を含むとしても良い。
【００３６】
かかる構成により，上記データ形式を毎回選択する手間を省くことが可能となり，容易にデータの書き込みを行うことができる。
【００３７】
また，上記選択したデータのデータ形式が，上記データ形式リストの中にない場合，上記ユーザ端末が，ユーザに上記データ形式リストからデータ形式を選択させる工程と，上記ユーザ端末が，上記通信目的装置に，上記選択されたデータ形式で上記選択されたデータを送信する工程との間に，上記データ形式リスト中のデータ形式に変換する工程をさらに含むとしても良く，上記選択されたデータ形式が上記通信目的装置に書き込むことができないデータ形式である場合，上記ユーザ端末が，上記通信目的装置に，上記選択されたデータ形式で上記選択されたデータを送信する工程の後に，上記通信目的装置が，書き込むことができるデータ形式に変換する工程をさらに含んでも良い。
【００３８】
かかる構成により，ユーザ端末と通信目的装置との間で通信可能なデータ形式が増え，両者間で生じるデータ形式の不整合を緩和できる。
【００３９】
上記課題を解決するために，本発明の第５の観点によれば，，ユーザにより移動自在なユーザ端末と；上記ユーザ端末の通信目的である通信目的装置とを利用して無線電波により非接触式にデータ通信を行う無線情報通信方法であって：上記通信目的装置からの所定範囲内において，上記ユーザ端末を上記通信目的装置に翳すユーザ端末配置工程と；上記ユーザ端末の入力部の操作に応じて，上記通信目的装置に記憶されているデータを読み取るデータ読み取り工程とを含むことを特徴とする，無線情報通信方法が提供される。
【００４０】
かかる無線情報通信方法は，ＮＦＣを利用してユーザ端末が通信目的装置のデータを読み取っている。第４の観点での説明と同様，上記ＮＦＣは，非常に狭い範囲においてのみ通信可能であるから，隣り合わせに複数の通信目的装置が配置されていたとしても，ユーザ自身が目的とする通信目的装置をハンドアクションにより特定でき，他の通信目的装置からデータを読み取ることもない。
【００４１】
また，上記データ読み取り工程は，上記ユーザ端末が，上記通信目的装置から読み取ることができるデータのデータ形式リストの送信要求を上記通信目的装置に送信する工程と；上記通信目的装置が，上記ユーザ端末にデータ形式リストを送信する工程と；上記ユーザ端末が，ユーザに上記データ形式リストからデータ形式を選択させる工程と；上記ユーザ端末が，上記通信目的装置に，上記選択されたデータ形式を送信する工程と；上記通信目的装置が，上記ユーザ端末に上記送信されたデータ形式で記憶されているデータを送信する工程とを含むとしても良い。また，上記データ形式は，ＴＥＸＴ，ＲＩＣＨ＿ＴＥＸＴ，ＡＳＣＩＩ，ＥＵＣ，ＪＩＳ，ＢＭＰ，ＪＰＥＧ，ＭＰＥＧ，ＧＩＦ，ＴＩＦＦからなる群より選択された１または２以上のフォーマットである。
【００４２】
かかる構成により，ユーザ端末と通信目的装置との間で送受信されるデータのデータ形式を互いに確認することができる。ユーザ端末や通信目的装置は，各々処理できるデータ形式を複数有し，その種類が多いほど，汎用性が高くなる。このようなデータ形式の選択を導入することで，データ形式を規格化または統一化する必要もなくなり，本通信方法を多くのユーザが利用することが期待できる。
【００４３】
また，上記データ形式は，予め選択する優先順位が設定され，上記ユーザ端末が，ユーザに上記データ形式リストからデータ形式を選択させる工程の代わりに，上記ユーザ端末が，上記優先順位に従って上記データ形式リストから自動的にデータ形式を選択する工程を含むとしても良い。
【００４４】
かかる構成により，上記データ形式を毎回選択する手間を省くことが可能となり，容易にデータの書き込みを行うことができる。
【００４５】
また，上記選択されたデータ形式が上記通信目的装置に記憶されていないデータ形式である場合，上記通信目的装置が，上記ユーザ端末に上記送信されたデータ形式で記憶されているデータを送信する工程の代わりに，上記通信目的装置が，上記ユーザ端末に上記送信されたデータ形式で記憶されているデータを上記選択されたデータ形式に変換して送信する工程を含むとしても良く，上記データ形式リストの中に上記ユーザ端末が読み取ることのできるデータ形式がない場合，上記通信目的装置が，上記ユーザ端末に上記送信されたデータ形式で記憶されているデータを送信する工程の後に，上記ユーザ端末が，受信したデータのデータ形式を上記ユーザ端末が読み取ることの出来るデータ形式に変換する工程をさらに含むとしても良い。
【００４６】
かかる構成により，ユーザ端末と通信目的装置との間で通信可能なデータ形式が増え，両者間で生じるデータ形式の不整合を緩和できる。
【００４７】
また，上記ユーザ端末と通信目的装置は，１つの装置として備えることもでき，受信要求または送信要求を行う場合，上記ユーザ端末として機能し，他の装置からの送信要求または受信要求に応じる場合，上記通信目的装置として機能する。また，その時，機能的に重複する，例えば，アンテナ部等は，ユーザ端末と通信目的装置の機能毎に設けられても良いし，１つの重複部のみを設け，各機能で共有することもできる。
【発明の効果】
【００４８】
以上説明したように本発明によれば，固定の場所に拘束されず，あらゆる場所において利用可能であり，ユーザが簡単なハンドアクションで，情報の取得，送出を行える。また，ＮＦＣは，狭い空間内でのみ通信可能なので，閉鎖された空間により確実，かつ安全な通信を実行できる。
【発明を実施するための最良の形態】
【００４９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００５０】
（第１の実施形態：無線情報通信システム）
本実施形態におけるＮＦＣを利用した無線情報通信システムは，１０ｃｍ以内の距離においてユーザが有するユーザ端末と有体物に設けられた無線目的装置とが非接触式にデータ通信を行うシステムである。上記ＮＦＣは，１３．５６ＭＨｚのＲＦ搬送波周波数と最大２１２Ｋｂｐｓの通信速度を有する。
【００５１】
図１は，このような無線情報通信システムを概略的に表した説明図である。
【００５２】
図１では，ユーザ１１０が，ユーザ端末１１２としての携帯電話を有し，有体物１１４としてのポスターに添付された通信目的装置１１６の情報を得ようとしている。
【００５３】
上記ユーザ端末１１２は，通信目的装置１１６から情報を得るための，または，他の通信目的装置に情報を与えるためのスイッチを有し，かかるユーザ端末１１２の配置とスイッチの操作によって，通信目的装置１１６とのデータ通信を行う。
【００５４】
上記有体物１１４は，広告，ポスター，掲示板，看板等の公共物を含むあらゆる物であり，従来，ユーザ１１０は，このような情報源から直接視覚によりデータを確認して，手帳等にメモしていた。
【００５５】
上記通信目的装置１１６は，有体物１１４に添付され所定の範囲でユーザ端末１１２と通信を行う。かかる通信目的装置１１６は，様々な形に形成することができ，本実施形態では，薄いカード状に形成され，有体物の表もしくは裏に貼り付けられている。また，本通信目的装置１１６は，バッテリーレスであり，ユーザ端末１１２からの電波によって電源エネルギーを受電している。
【００５６】
このようなＮＦＣでは，狭い範囲内のみにおいて非接触式に通信を行うので，ユーザの視覚により通信目的とする通信目的装置を容易に把握，認識でき，ハンドアクションによる分かり易い通信処理を行うことができる。例えば，図１においては，通信目的装置１１６の通信範囲１２０は，他の通信目的装置１２２の通信範囲１２４とは重ならず，ユーザ１１０は，通信目的装置１１６とのみ確実，安全に通信を行い得る。
【００５７】
このような非接触式の無線通信を行う方法として，赤外線による方法（ＩｒＤａ：ＩｎｆｒａＲｅｄ  Ｄａｔａ  Ａｓｓｏｃｉａｔｉｏｎ）やＢｌｕｅｔｏｏｔｈ，バーコードを２次元化したＱＲコード等が存在する。
【００５８】
しかし，上記ＩｒＤａは，光の成分を利用した通信なので，直射日光があたる屋外では使用が難しい等の問題がある。また，赤外線は指向性を有するが，本ＮＦＣのような所定の範囲に限られてはいないので，同一方向に複数のＩｒＤａ受光部がある場合，意図しない装置が反応する可能性がある。また，赤外線は同一方向以外にも，反射により意図しない装置との通信が行われる可能性があり，安全性に不安が残る。さらに赤外線においては搬送波による電力伝送は困難であり，常に電源を有する構成をとらざるを得ず，コスト面や汎用性にも問題がある。
【００５９】
また，上記Ｂｌｕｅｔｏｏｔｈでは，接続に関して複雑なメニュー操作が必要であり，通信範囲も広いことから，ハンドアクションによる目標物の選択には向いていない。このような長距離を想定した通信システムでは，電波による電力伝送は困難である。
【００６０】
また，ＱＲコードでは，視認機器による画像認識を用いる必要があり，位置決め等の困難性も残る。さらには，視認不可能な状態，例えば，暗闇の中では利用できない。また，屋外の使用により汚れたバーコードは，誤った情報を発する問題を生じる。
【００６１】
このように，本実施形態においては，通信距離が短いことが他の通信方式にない新たな効果を生じている。
【００６２】
（第２の実施形態：ユーザ端末１１２）
図２は，無線情報通信システムに利用されるユーザ端末１１２の構成を表したブロック図である。
【００６３】
上記ユーザ端末１１２は，ユーザアンテナ部２１０と，ユーザＮＦＣ機能部２１２と，ユーザデータ記憶部２１４と，入力部２１６と，データ読み取り部２１８と，データ書き込み部２２０と，状態表示部２２２と，エラー表示部２２４と，ユーザ形式変換部２２６とから構成される。
【００６４】
上記ユーザアンテナ部２１０は，通信目的装置１１６と通信を行うためのアンテナであって，ユーザ端末１１２からの電気信号を無線電波信号に，また，通信目的装置１１６からの無線電波信号を電気信号に変換する。上記アンテナの長さや形状は，ＮＦＣにおける１３．５６ＭＨｚのＲＦ搬送波周波数に応じて決まる。
【００６５】
上記ユーザＮＦＣ機能部２１２は，ＮＦＣ半導体チップ２２８中に形成され，近距離での通信を目的とし，ＮＦＣ通信処理の中核的役割を果たす。このユーザＮＦＣ機能部２１２は，ＮＦＣにより送受信される信号を処理する信号処理回路とＲＦ（Ｒａｄｉｏ  Ｆｒｅｑｕｅｎｃｙ）に変換するための変復調回路とを含んで構成される。
【００６６】
上記ユーザデータ記憶部２１４は，ユーザ端末１１２で利用されるデータを記憶し，通信目的装置１１６との通信データの記憶も行う。データを記憶する媒体としては，不揮発性のメモリや揮発性のメモリが利用され，ユーザＮＦＣ機能部２１２と共にＮＦＣ半導体チップ２２８に設けられる。
【００６７】
上記入力部２１６は，少なくとも１つのスイッチで構成されるが，ユーザ端末１１２における本実施形態以外の機能に利用される入力部と共有することもできる。例えば，本実施形態におけるユーザ端末１１２としての携帯電話には，電話番号入力や電子メールの文字入力のための入力ボタン群が設けられ，その１つを本実施形態に利用することもできる。また，多くのスイッチを必要としないことから，携帯電話をユーザの手で支持した状態において，親指や人差し指で押しやすい位置に配置することも可能である。
【００６８】
上記データ読み取り部２１８は，入力部２１６の操作に応じて，通信目的装置１１６からユーザＮＦＣ機能部２１２を介して目的とするデータを読み取り，ユーザデータ記憶部２１４に記憶させる。
【００６９】
上記データ書き込み部２２０は，入力部２１６の操作に応じて，ユーザデータ記憶部２１４に記憶されたデータをユーザＮＦＣ機能部２１２を介して通信目的装置１１６に送信する。
【００７０】
上記状態表示部２２２は，目的とするデータを読み取るときやデータの書き込み中を視覚的または聴覚的に知らせる機能を有す。例えば，ユーザ端末１１２のＬＥＤやＬＣＤによって，動作中であることが表示される。この時，ＬＥＤの場合は，点灯色，点灯状態（消灯，点滅，点灯）により，ＬＣＤの場合は，表示背景色，表示コメント等により確認可能である。
【００７１】
上記エラー表示部２２４は，目的とするデータの読み取り，または，記憶されたデータの書き込みにかかる時間を計時し，所定の時間内に遂行されなかったときは，状態表示部２２２にエラーを表示する。表示形式は，上記状態表示部２２２に従う。例えば，上記データの読み取りにおいて，通信目的装置１１６にユーザ端末１１２を翳して通信処理を開始した場合，状態表示部２２２であるＬＥＤが消灯状態から点灯状態に変わり，ユーザ端末１１２のデータ読み取りが完了すると消灯状態に戻る。ユーザ端末１１２のデータ読み取りが何らかの原因（例えば，通信距離を維持できなくなったとき等）により失敗に終わった場合は，本エラー表示部２２４の構成により，ＬＥＤが点滅に変わる。
【００７２】
上記ユーザ形式変換部２２６は，通信目的装置１１６から読み取られたデータ，または，通信目的装置１１６に書き込むデータのデータ形式がユーザ端末１１２のユーザＮＦＣ機能部２１２で処理出来ないとき，処理可能なデータ形式に変換する機能を有す。かかるデータ形式は，ＴＥＸＴ，ＲＩＣＨ＿ＴＥＸＴ，ＡＳＣＩＩ，ＥＵＣ，ＪＩＳ，ＢＭＰ，ＪＰＥＧ，ＭＰＥＧ，ＧＩＦ，ＴＩＦＦ等であり，処理できない複数のデータ形式に応じることも可能である。
【００７３】
（第３の実施形態：通信目的装置１１６）
図３は，無線情報通信システムに利用される通信目的装置１１６の構成を表したブロック図である。
【００７４】
上記通信目的装置１１６は，目的アンテナ部３１０と，目的ＮＦＣ機能部３１２と，目的データ記憶部３１４と，データ出力部３１６と，データ入力部３１８と，ロック機能部３２０と，目的形式変換部３２２と，ロックスイッチ３２６とから構成される。
【００７５】
上記目的アンテナ部３１０は，ユーザ端末１１２と通信を行うためのアンテナであって，通信目的装置１１６からの電気信号を無線電波信号に，また，ユーザ端末１１２からの無線電波信号を電気信号に変換する。上記アンテナの長さや形状は，ＮＦＣにおける１３．５６ＭＨｚのＲＦ搬送波周波数に応じて決まる。
【００７６】
上記目的ＮＦＣ機能部３１２は，ＮＦＣ半導体チップ３２４中に形成され，近距離での通信を目的とし，ＮＦＣ通信処理の中核的役割を果たす。この目的ＮＦＣ機能部３１２は，ＮＦＣにより送受信される信号を処理する信号処理回路とＲＦ（Ｒａｄｉｏ  Ｆｒｅｑｕｅｎｃｙ）に変換するための変復調回路とを含んで構成される。
【００７７】
上記目的データ記憶部３１４は，通信目的装置１１６で利用されるデータを記憶し，ユーザ端末１１２との通信データの記憶も行う。データを記憶する媒体としては，不揮発性のメモリや揮発性のメモリが利用され，目的ＮＦＣ機能部３１２と共にＮＦＣ半導体チップ３２４に設けられる。
【００７８】
上記データ出力部３１６は，ユーザ端末１１２の要求に応じて，目的データ記憶部３１４に記憶されたデータを目的ＮＦＣ機能部３１２を介してユーザ端末１１２に出力する。
【００７９】
上記データ入力部３１８は，ユーザ端末１１２の要求に応じて，ユーザ端末１１２から目的ＮＦＣ機能部３１２を介して入力されたデータを，目的データ記憶部３１４に記憶する。
【００８０】
上記ロック機能部３２０は，ユーザの設定に応じて，上記ユーザ端末１１２とのデータの出力および／または入力を禁止することができる。通信目的装置１１６は，ユーザ端末１１２からの指示によって動作するため，通信目的装置１１６の利用者の意志に反してデータの操作がされる可能性がある。かかるロック機能部３２０によって，このような動作を制限することができる。この場合，通信目的装置１１６に設けられたロック機能部３２０を有効にする手段，例えば，ロックスイッチ３２６を押すことによって，ユーザ端末１１２との通信を制限する。このような制限は，例えば，混雑した電車等において個人情報の漏洩を防ぐ。
【００８１】
上記目的形式変換部３２２は，ユーザ端末１１２から読み取られたデータ，または，ユーザ端末１１２に書き込むデータのデータ形式が通信目的装置１１６の目的ＮＦＣ機能部３１２で処理出来ないとき，処理可能なデータ形式に変換する機能を有す。かかるデータ形式は，ＴＥＸＴ，ＲＩＣＨ＿ＴＥＸＴ，ＡＳＣＩＩ，ＥＵＣ，ＪＩＳ，ＢＭＰ，ＪＰＥＧ，ＭＰＥＧ，ＧＩＦ，ＴＩＦＦ等であり，処理できない複数のデータ形式に応じることも可能である。
【００８２】
また，かかる通信目的装置１１６は，あらゆる場所に配置されることが想定されるので，バッテリーレスで構成される場合がある。このようにバッテリーレスで構成された通信目的装置１１６は，通常，スリープ状態で待機し，ユーザ端末１１２から通信要求があったときに，そのユーザ端末１１２から得られる電波によるエネルギーを電源として，ユーザ端末１１２に応じて動作する。
【００８３】
（第４の実施形態：ユーザ端末１１２，通信目的装置１１６）
図４は，上述したユーザ端末１１２と通信目的装置１１６とが１つの装置として構成される場合のブロック図である。ここでは，通信目的装置１１６の機能がユーザ端末１１２に含まれて形成されている。
【００８４】
かかるユーザ端末１１２は，第２の実施形態で説明したユーザ端末１１２にロック機能部３２０が加えられている。また，ユーザデータ記憶部２１４は，目的データ記憶部３１４としても機能し，データ読み取り部２１８とデータ書き込み部２２０は，データ入力部３１８とデータ出力部３１６とを兼用する。さらには，通信目的装置１１６においてロック機能部３２０への入力手段であったロックスイッチ３２６は，ユーザ端末１１２の入力部２１６で代用される。
【００８５】
上記の各構成要素は，第２，第３の実施形態において説明した構成要素と実質的に機能が同一なので重複説明を省略する。
【００８６】
このように，ユーザ端末１１２と通信目的装置１１６との機能を統合することで，多様な使用方法を実現できる。上記ユーザ端末１１２と通信目的装置１１６の動作の違いは，積極的にデータを書き込み，読み取りしようとした場合は，ユーザ端末１１２として機能し，消極的に他の装置（例えば他のユーザ端末）からデータを書き込まれたり，読み取られたりした場合，通信目的装置１１６として機能する。このようにユーザＮＦＣ機能部２１２は，通信相手に対してどちらが通信を開始したかに応じてユーザ端末１１２として，または，通信目的装置１１６として動作する。
【００８７】
（第５の実施形態：無線情報通信方法）
図５は，本実施形態における無線情報通信方法を詳細に表した説明図であり，特にユーザ端末１１２から通信目的装置１１６へのデータの書き込みを表す。
【００８８】
かかるユーザ端末１１２から通信目的装置１１６への書き込みは，ユーザ端末１１２において，通信目的装置１１６に書き込むデータを選択する書き込みデータ選択工程Ｓ５００と，通信目的装置１１６からの所定範囲内において，ユーザ端末１１２を通信目的装置１１６に翳すユーザ端末配置工程Ｓ５０２と，ユーザ端末１１２の入力部の操作に応じて，上記書き込みデータ選択工程Ｓ５００によって選択されたデータを，通信目的装置１１６に書き込むデータ書き込み工程Ｓ５０４とからなされる。
【００８９】
本実施形態においては，ユーザ端末１１２として携帯電話を，データ書き込み対象の通信目的装置１１６としてパーソナルコンピュータ（以下，パソコンと略す。）を挙げている。
【００９０】
まず，携帯電話を起動し，パソコンに書き込むデータを選択する（Ｓ５１０）。
【００９１】
図６は，上記ユーザ端末１１２としての携帯電話における上記の選択（Ｓ５１０）を具体的に表す構造図である。かかる場合は，携帯電話のユーザデータ記憶部２１４に記憶されているデータの中から，店舗「ＴＨＥ  ＳＴＯＲＥ」の電話番号と住所を選択している。ここでは，十字キー５５０やボタン群５５２を利用して店舗「ＴＨＥ  ＳＴＯＲＥ」のデータを表示部５５４に表示し，さらに，電話番号と住所の部分を反転表示５５６によって指定する。
【００９２】
次に，携帯電話をパソコンに近づけパソコンの通信目的装置１１６としての目的アンテナ部３１０に携帯電話を翳す（Ｓ５１２）。
【００９３】
図７は，上記通信目的装置１１６としてのパソコンにおける上記の工程（Ｓ５１２）を具体的に表す構造図である。かかる場合は，パソコンのキーボード５７０に設けられた目的アンテナ部３１０の所定範囲５７２にユーザ端末１１２を翳している。
【００９４】
次に，図６に示す携帯電話のＮＦＣスイッチ５５８を押すと（Ｓ５１４），携帯電話に設けられたユーザＮＦＣ機能部２１２がパソコンにデータ形式リストの送信要求を行う（Ｓ５１６）。このとき携帯電話はＲＦを出力し続け，パソコンからの応答を待つのだが，所定の時間，例えば５秒間応答が無い場合は，エラー表示部２２４によってエラーが出力される。
【００９５】
パソコンのＮＦＣ半導体チップ２２８は，自己が有する電源または携帯電話からの電波によるエネルギーを得て動作を開始する。そして，携帯電話からのデータ形式リストの送信要求に応じて，パソコンで処理可能な，もしくは，パソコンに設けられた目的形式変換部３２２によってデータ形式を変換した後で処理可能な複数のデータ形式を示すデータ形式リストを準備し（Ｓ５１８），携帯電話にこのデータ形式リストを送信する（Ｓ５２０）。
【００９６】
続いて，ユーザは，携帯電話上で上記データ形式リストから最適なデータ形式を選択する（Ｓ５２２）。例えば，送信しようとするデータが文字列データであり，データ形式リストに「ＴＥＸＴ」と「ＲＩＣＨ＿ＴＥＸＴ」の選択があった場合，パソコンに送信後の処理も踏まえて，「ＲＩＣＨ＿ＴＥＸＴ」を選ぶことができる。ここでは携帯電話に記憶されたデータのデータ形式をｃｅｎｔｕｒｙのＢｏｌｄ書体のテキスト文字としてＲＩＣＨ＿ＴＥＸＴで転送できる。
【００９７】
ここで，送信するデータのデータ形式が，パソコンから受信したデータ形式リストの中にない場合，データ形式リスト中のデータ形式に変換することもできる。例えば，パソコンがＢＭＰデータ形式とＪＰＥＧデータ形式を提示し，携帯電話は，ＧＩＦデータ形式の画像データを持っていた場合，携帯電話は上記画像データをＧＩＦデータ形式からＪＰＥＧデータ形式に変換する。
【００９８】
また，上記のデータ形式の選択は，ユーザ端末１１２としての携帯電話に依存し，選択の手順がある程度標準化されるため，予め選択する優先順位を設定し，この優先順位に従って，携帯電話のユーザＮＦＣ機能部２１４がデータ形式リストから自動的にデータ形式を選択することもできる。例えば，データ形式リストに「ＴＥＸＴ」と「ＲＩＣＨ＿ＴＥＸＴ」が表示され，データ形式選択の優先順位が「１．ＲＩＣＨ＿ＴＥＸＴ」「２．ＴＥＸＴ」と設定されている場合，自動的に「ＲＩＣＨ＿ＴＥＸＴ」が選択される。かかる場合は，Ｓ５２２のユーザによる選択を省略することができ，上記ＮＦＣスイッチ５５８を押す（Ｓ５１４）ことのみでかかる処理まで自動的に動作することとなる。
【００９９】
続いて，このように選択されたデータ形式を有するデータが，パソコンに送信される（Ｓ５２４）。上記データを受信したパソコンは，上記データを必要に応じてパソコンで処理できるデータ形式に変換する（Ｓ５２６）。
【０１００】
（第６の実施形態：無線情報通信方法）
図８は，本実施形態における無線情報通信方法を詳細に表した説明図であり，特にユーザ端末１１２における通信目的装置１１６からのデータの読み取りを表す。
【０１０１】
かかるユーザ端末１１２における通信目的装置１１６からのデータ読み取りは，通信目的装置１１６からの所定範囲内において，ユーザ端末１１２を通信目的装置１１６に翳すユーザ端末配置工程Ｓ６００と，ユーザ端末１１２の入力部２１６の操作に応じて，通信目的装置１１６に記憶されているデータを読み取るデータ読み取り工程Ｓ６０２とからなされる。
【０１０２】
本実施形態においても，ユーザ端末１１２として携帯電話を，データ書き込み対象の通信目的装置１１６としてパソコンを挙げている。
【０１０３】
まず，パソコンにおいて読み取るデータを選択する（Ｓ６１０）。この選択は，第５の実施形態同様，パソコンに記憶されているデータの中から，十字キーやマウスを利用して反転表示により指定することで実施される。
【０１０４】
次に，起動している携帯電話をパソコンに近づけパソコンの通信目的装置１１６としての目的アンテナ部３１０に携帯電話を翳す（Ｓ６１２）。
【０１０５】
続いて，携帯電話のＮＦＣスイッチ５５８を押すと（Ｓ６１４），携帯電話からパソコンに，データ形式群からなるデータ形式リストの送信要求が送信される（Ｓ６１６）。このとき携帯電話はＲＦを出力し続け，パソコンからの応答を待つのだが，所定の時間，例えば５秒間応答が無い場合は，エラー表示部２２４によってエラーが出力される。
【０１０６】
パソコンのＮＦＣ半導体チップ２２８は，自己が有する電源または携帯電話からの電波によるエネルギーを得て動作を開始する。そして，携帯電話からのデータ形式リストの送信要求に応じて，パソコンで有している，もしくは，パソコンに設けられた目的形式変換部３２２によってデータ形式を変換した後で送信可能となる複数のデータ形式を示すデータ形式リストを準備し（Ｓ６１８），携帯電話にこのデータ形式リストを送信する（Ｓ６２０）。
【０１０７】
続いて，ユーザは，携帯電話上で上記データ形式リストから最適なデータ形式を選択する（Ｓ６２２）。例えば，受信しようとするデータが文字列データであり，データ形式リストに「ＴＥＸＴ」と「ＲＩＣＨ＿ＴＥＸＴ」の選択があった場合，携帯電話で処理ができるデータ形式を有効に利用し，「ＲＩＣＨ＿ＴＥＸＴ」を選ぶことが可能である。ここではパソコンに記憶されたデータのデータ形式をｃｅｎｔｕｒｙのＢｏｌｄ書体のテキスト文字としてＲＩＣＨ＿ＴＥＸＴで受信できる。
【０１０８】
ここで，受信可能なデータのデータ形式が，パソコンから受信したデータ形式リストの中にない場合，データ形式リスト中のデータ形式からパソコン内で処理可能なデータ形式に変換することもできる。例えば，パソコンがＢＭＰデータ形式とＪＰＥＧデータ形式を提示し，携帯電話は，ＧＩＦデータ形式の画像データのみ処理可能であった場合，携帯電話は上記ＪＰＥＧデータ形式で画像データを受信し，その後ユーザ形式変換部２２６によってＧＩＦデータ形式に変換する。
【０１０９】
また，上記のデータ形式の選択は，ユーザ端末１１２としての携帯電話に依存し，選択の手順がある程度標準化されるため，予め選択する優先順位を設定し，この優先順位に従って，携帯電話のユーザＮＦＣ機能部２１４がデータ形式リストから自動的にデータ形式を選択することもできる。例えば，データ形式リストに「ＴＥＸＴ」と「ＲＩＣＨ＿ＴＥＸＴ」が表示され，データ形式選択の優先順位が「１．ＲＩＣＨ＿ＴＥＸＴ」「２．ＴＥＸＴ」と設定されている場合，自動的に「ＲＩＣＨ＿ＴＥＸＴ」が選択される。かかる場合は，Ｓ６２２のユーザによる選択を省略することができ，上記ＮＦＣスイッチ５５８を押す（Ｓ６１４）ことのみでかかる処理まで自動的に動作することとなる。
【０１１０】
このように選択されたデータ形式をパソコンに送信し（Ｓ６２４）。上記データを受信したパソコンは，必要に応じてパソコン内のデータを上記受信したデータ形式に目的形式変換部３２２を介して変換し（Ｓ６２６），そのデータ形式によるデータを携帯電話に送信する（Ｓ６２８）。上記選択されたデータ形式のデータをパソコンが既に有している場合，データ形式の変更を行う必要がないので，上記Ｓ６２６の工程は省略される。
【０１１１】
（第７の実施形態：無線情報通信方法）
図９は，本実施形態における無線情報通信方法を詳細に表した説明図であり，特に通信目的装置１１６から他の通信目的装置６５０に，ユーザ端末１１２を介してデータをコピーする。
【０１１２】
本実施形態においては，ユーザ端末１１２として携帯電話を，データ書き込み対象の通信目的装置１１６，６５０としてパソコンを挙げている。
【０１１３】
従来では，かかる部分データやファイルをデータ記憶媒体または有線リンクを使って転送していたが，本実施形態では両通信目的装置１１６，６５０の記憶媒体の互換性や接続回線の有無に拘わらず容易にデータを転送することができる。
【０１１４】
まず，通信目的装置１１６において，コピーする対象のデータを選択する。ここでは，マウス６５２を使って画面上の「１２３４５６７８９」が選択され，反転表示６５４で表される。
【０１１５】
次に，通信目的装置１１６の目的アンテナ部３１０にユーザ端末１１２を翳す。このときユーザ端末に設けられたＮＦＣスイッチ５５８を１回クリックし，状態表示部２２２でデータ取得完了を確認する。
【０１１６】
その後，上記データをペーストする通信目的装置６５０の目的アンテナ部６５６にユーザ端末１１２を翳し，ＮＦＣスイッチ５５８をダブルクリック（２回連続クリック）する。このような簡単なハンドアクションにより，通信目的装置１１６のデータ「１２３４５６７８９」が通信目的装置６５０に転送される。転送後は通信目的装置６５０の画面上に反転表示６５８として表示される。
【０１１７】
また，上記に示したコピー＆ペーストの変形例は，目的とするデータを読み取るときは，通信目的装置１１６上の目的とするデータが選択された状態で，ＮＦＣスイッチ５５８を１回クリックし，記憶されたデータを書き込むときは，通信目的装置６５０上では何も選択されていない状態で，ＮＦＣスイッチ５５８を１回クリックすることで実施することもできる。即ち，データが選択された状態でＮＦＣスイッチ５５８が押されるとデータが読み取られ，選択されていない状態で押すと，データが書き込まれる。
【０１１８】
さらに，他の変形例としては，データを読み取る通信目的装置１１６上の目的とするデータが選択された状態で，ＮＦＣスイッチ５５８をドラッグし，データを書き込む通信目的装置６５０上でドロップするとすることもできる。このようなコピー＆ペーストの方法は，パソコンを含む電子機器で様々な方法が取られ，これらの方法は本実施形態においても利用することができる。また，かかるコピー＆ペーストは，上記に示したようなパソコン間だけでなく，電子機器を利用した様々な装置に利用できる。
【０１１９】
（第８の実施形態：無線情報通信システム）
図１０は無線情報通信システムの利用例を説明する説明図である。図中には通信目的装置１１６としてのパーソナルコンピュータ（パソコン）７００，プリンタ７０２が記載され，ユーザ端末１１２としてデジタルカメラ７０４，携帯電話７０６，ＰＤＡ７０８が記載されている。
【０１２０】
例えば，デジタルカメラ７０４で撮影した画像をファイルとしてパソコン７００に簡単なハンドアクションで転送（Ｓ７１０）することもでき，プリンタ７０２に直接印刷（Ｓ７１２）することもできる。
【０１２１】
同様に，携帯電話７０６やＰＤＡ７０８によって読み取られた「広告データ」，「店舗の住所，電話，営業時間，お勧めのコース，ＵＲＬ」，「時刻表」，「商店商品情報（価格，産地，賞味期限）」等をパソコン７００に取り込んだり（Ｓ７１４），プリンタ７０２に直接印刷したり（Ｓ７１６）することができる。また，携帯電話７０６によって読み取られた店舗や友人等のデータが，規格化さらたフォーマットを有する場合，そのデータを住所録にそのまま登録でき，電話番号を打ち込むことなくこの店舗に電話することが可能となる。また，上記の情報源である「時刻表」等の通信目的装置１１６が，何人にも書き換えが可能であると問題が生じる。従って，かかる通信目的装置１１６を管理している人のみが通信目的装置１１６の書き込みアクセス権を有すように設定される。
【０１２２】
図１１は，無線情報通信システムの他の利用例を説明する説明図である。図中には，公共の場に掲示されている通信目的装置１１６としてのポスター７５０と，ユーザ端末１１２としての携帯電話７５２が記載されている。
【０１２３】
例えば，かかるポスター７５０に掲示されている内容が，アンケートに関する内容であるとした場合，ユーザは，一旦自己の携帯電話７５２にＮＦＣを利用して読み取り（Ｓ７５４），歩行中に携帯電話７５２を利用してそのアンケートに対する回答を準備し，同じポスター７５０がある場所または，特別に設けられたアンケートの回収位置においてＮＦＣにより上記回答を書き込む（Ｓ７５６）。
【０１２４】
また，電車，駅，バス，バス停，待合室などにクロスワード等の簡単なゲームを読み取ることが可能なポスター７５０を設置し，ユーザは携帯電話７５２によって簡単にかかるゲームを取り込むことができる。このように，新たなサービスの形態を得ることも可能である。
【０１２５】
図１２は，無線情報通信システムの他の利用例を説明する説明図である。図中には，ユーザ端末１１２としてのプリンタ７８０と通信目的装置１１６としての名刺７８２が記載されている。
【０１２６】
かかる名刺７８２は，バッテリーレスであり，プリンタ７８０からの電波エネルギーを受けてプリンタ７８０の読み取り要求に応じて，名刺７８２に記載されている内容またはそれ以上の内容をプリンタ７８０に送信する。これによって，直接プリンタ７８０において宛名印刷７８４することが可能になり，宛名印刷の煩わしさを軽減できる。
【０１２７】
上述したようなＮＦＣによるユーザ端末１１２を利用することにより，歩道を歩きながら自由にかつ容易に情報を集めることができ，１０ｃｍ以内という近距離での利用により，視覚的に通信相手を特定することができる。このような通信は，視覚的にとらえることができる範囲でのみ行われるので，確実性に加えて安全性も得ることができる。
【０１２８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１２９】
本実施形態の説明において，ユーザ端末や通信目的装置を理解するため，身近にある携帯電話やポスター等を挙げたが，かかる実施形態に限定されるものではない。特に，通信目的装置に関しては，バッテリーレスの利用が可能なため，現在では電子機器として扱われていない様々な有体物に利用可能である。また，ユーザ端末も既存の機器に機能追加することが考えられるが，容易にコピー＆ペースト可能な構成から，かかるユーザ端末としての機能のみを備えた小型の装置も考えられる。
【産業上の利用可能性】
【０１３０】
本発明は，非接触式にデータ通信を行う無線情報通信にかかり，特に，無線情報通信システム，ユーザ端末，通信目的装置，無線情報通信方法およびプログラムに適用可能である。
【図面の簡単な説明】
【０１３１】
【図１】無線情報通信システムを概略的に表した説明図である。
【図２】無線情報通信システムに利用されるユーザ端末の構成を表したブロック図である。
【図３】無線情報通信システムに利用される通信目的装置の構成を表したブロック図である。
【図４】ユーザ端末と通信目的装置とが１つの装置として構成される場合のブロック図である。
【図５】無線情報通信方法を詳細に表した説明図である。
【図６】ユーザ端末におけるデータの選択を具体的に表す構造図である。
【図７】通信目的装置における工程を具体的に表す構造図である。
【図８】無線情報通信方法を詳細に表した説明図である。
【図９】無線情報通信方法を詳細に表した説明図である。
【図１０】無線情報通信システムの利用例を説明する説明図である。
【図１１】無線情報通信システムの他の利用例を説明する説明図である。
【図１２】無線情報通信システムの他の利用例を説明する説明図である。
【符号の説明】
【０１３２】
１１２  ユーザ端末
１１６  通信目的装置
２１０  ユーザアンテナ部
２１２  ユーザＮＦＣ機能部
２１４  ユーザデータ記憶部
２１６  入力部
２１８  データ読み取り部
２２０  データ書き込み部
２２２  状態表示部
２２４  エラー表示部
２２６  ユーザ形式変換部
３１０  目的アンテナ部
３１２  目的ＮＦＣ機能部
３１４  目的データ記憶部
３１６  データ出力部
３１８  データ入力部
３２０  ロック機能部
３２２  目的形式変換部
Ｓ５００  データ選択工程
Ｓ５０２  ユーザ端末配置工程
Ｓ５０４  データ書き込み工程
Ｓ６００  ユーザ端末配置工程
Ｓ６０２  データ読み取り工程
【図１】
2005159958.tif 000003
【図２】
2005159958.tif 000004
【図３】
2005159958.tif 000005
【図４】
2005159958.tif 000006
【図５】
2005159958.tif 000007
【図６】
2005159958.tif 000008
【図７】
2005159958.tif 000009
【図８】
2005159958.tif 000010
【図９】
2005159958.tif 000011
【図１０】
2005159958.tif 000012
【図１１】
2005159958.tif 000013
【図１２】
2005159958.tif 000014